【手続補正書】
【提出日】平成16年11月25日(2004.11.25)
【手続補正１】
【補正対象書類名】明細書
【補正対象項目名】発明の名称
【補正方法】変更
【補正の内容】
【発明の名称】電波受信装置、電波受信回路及び電波時計
【手続補正２】
【補正対象書類名】明細書
【補正対象項目名】特許請求の範囲
【補正方法】変更
【補正の内容】
【特許請求の範囲】
【請求項１】
電波信号を受信し、この受信した電波信号を電気信号に変換して出力する電波受信手段と、
所定周波数の信号を出力する発振手段と、
前記電波受信手段より出力された電気信号を前記発振手段より出力された信号と合成して、中間周波数信号に変換する周波数変換手段と、
この周波数変換手段によって変換された中間周波数信号から基準信号を生成する基準信号生成手段と、
前記中間周波数信号と前記基準信号とを乗算する第１乗算手段と、
前記中間周波数信号の位相を変化させて出力する第１位相調整手段と、
この第１位相調整手段より出力された信号と、前記基準信号とを乗算する第２乗算手段と、
この第２乗算手段により乗算された信号の位相を変化させて出力する第２位相調整手段と、
この第２位相調整手段より出力された信号と、前記第１乗算手段により乗算された信号とを加算する加算手段と、
を備えることを特徴とする電波受信装置。
【請求項２】
前記第１位相調整手段及び前記第２位相調整手段は、入力した信号の位相を９０度変化させて出力することを特徴とする請求項１に記載の電波受信装置。
【請求項３】
電波信号を受信し、この受信した電波信号を電気信号に変換して出力する電波受信手段と、
所定周波数の信号を出力する発振手段と、
前記電波受信手段より出力された電気信号を前記発振手段より出力された信号と合成して、中間周波数信号に変換する周波数変換手段と、
この周波数変換手段によって変換された中間周波数信号からの基準信号を生成する基準信号生成手段と、
前記中間周波数信号と前記基準信号とを乗算する第１乗算手段と、
前記中間周波数信号を微分する第１微分手段と、
この第１微分手段により微分された信号と、前記基準信号とを乗算する第２乗算手段と、
この第２乗算手段により乗算された信号と、前記第１乗算手段により乗算された信号とを加算する第１加算手段と、
前記第１乗算手段により乗算された信号から、前記第２乗算手段により乗算された信号を減算する減算手段と、
この減算手段により減算された信号を微分する第２微分手段と、
この第２微分手段により微分された信号を増幅して出力する増幅手段と、
この増幅手段より出力された信号と、前記第１加算手段により加算された信号とを加算する第２加算手段と、
を備えることを特徴とする電波受信装置。
【請求項４】
電波信号を受信し、この受信した電波信号を電気信号に変換して出力する電波受信手段と、
所定周波数の信号を出力する発振手段と、
前記電波受信手段より出力された電気信号を前記発振手段より出力された信号と合成して、中間周波数信号に変換する周波数変換手段と、
この周波数変換手段によって変換された中間周波数信号から基準信号を生成する基準信号生成手段と、
前記中間周波数信号と前記基準信号とを乗算する第１乗算手段と、
前記基準信号の位相を変化させて出力する位相調整手段と、
この位相調整手段より出力された信号と、前記中間周波数信号の信号とを乗算する第２乗算手段と、
この第２乗算手段により乗算された信号と、前記第１乗算手段により乗算された信号とを加算する第１加算手段と、
前記第１乗算手段により乗算された信号から、前記第２乗算手段により乗算された信号を減算する減算手段と、
この減算手段により減算された信号を微分する微分手段と、
この微分手段により微分された信号を増幅して出力する増幅手段と、
この増幅手段より出力された信号と、前記第１加算手段により加算された信号とを加算する第２加算手段と、
を備えることを特徴とする電波受信装置。
【請求項５】
電波信号を受信し、この受信した電波信号を電気信号に変換して出力する電波受信手段と、
所定周波数の信号を出力する発振手段と、
前記電波受信手段より出力された電気信号を前記発振手段より出力された信号と合成して、中間周波数信号に変換する周波数変換手段と、
この周波数変換手段によって変換された中間周波数信号から基準信号を生成する基準信号生成手段と、
前記中間周波数信号と前記基準信号とを乗算する第１乗算手段と、
前記基準信号を微分する微分手段と、
この微分手段により微分された信号と、前記中間周波数信号とを乗算する第２乗算手段と、
この第２乗算手段により乗算された信号の位相を変化させて出力する位相調整手段と、
この位相調整手段より出力した信号と、前記第１乗算手段により乗算された信号とを加算する加算手段と、
を備えることを特徴とする電波受信装置。
【請求項６】
前記位相調整手段は、入力した信号の位相を９０度変化させることを特徴とする請求項４又は５に記載の電波受信装置。
【請求項７】
前記第１乗算手段及び第２乗算手段は、ローパスフィルタを備え、このローパスフィルタを介して乗算した信号を出力することを特徴とする請求項１〜６の何れか一項に記載の電波受信装置。
【請求項８】
請求項１〜７の何れか一項に記載の電波受信装置と、
この電波受信装置の受信手段から出力された電気信号に含まれる標準電波信号に基づいて時刻機能に必要なデータを含む標準タイムコードを生成するタイムコード変換手段と、
現在時刻を計数する時刻計数手段と、
前記タイムコード変換手段によって生成された標準タイムコードに基づいて前記時刻計数手段で計数される現在時刻データを修正する修正手段と、
を備えることを特徴とする電波時計。
【請求項９】
所定周波数の信号を出力する発振回路と、
受信された電波信号を前記発振回路より出力された信号と合成して、中間周波数信号に変換する周波数変換回路と、
この周波数変換回路によって変換された中間周波数信号から基準信号を生成する基準信号生成回路と、
前記中間周波数信号と前記基準信号とを乗算する第１乗算回路と、
前記中間周波数信号の位相を変化させて出力する第１位相調整回路と、
この第１位相調整回路より出力された信号と、前記基準信号とを乗算する第２乗算回路と、
この第２乗算回路により乗算された信号の位相を変化させて出力する第２位相調整回路と、
この第２位相調整回路より出力された信号と、前記第１乗算回路により乗算された信号とを加算する加算回路と、
を備えることを特徴とする電波受信回路。
【請求項１０】
前記第１位相調整回路及び前記第２位相調整回路は、入力した信号の位相を９０度変化させて出力することを特徴とする請求項９に記載の電波受信回路。
【請求項１１】
所定周波数の信号を出力する発振回路と、
受信された電波信号を前記発振回路より出力された信号と合成して、中間周波数信号に変換する周波数変換回路と、
この周波数変換回路によって変換された中間周波数信号からの基準信号を生成する基準信号生成回路と、
前記中間周波数信号と前記基準信号とを乗算する第１乗算回路と、
前記中間周波数信号を微分する第１微分回路と、
この第１微分回路により微分された信号と、前記基準信号とを乗算する第２乗算回路と、
この第２乗算回路により乗算された信号と、前記第１乗算回路により乗算された信号とを加算する第１加算回路と、
前記第１乗算回路により乗算された信号から、前記第２乗算回路により乗算された信号を減算する減算回路と、
この減算回路により減算された信号を微分する第２微分回路と、
この第２微分回路により微分された信号を増幅して出力する増幅回路と、
この増幅回路より出力された信号と、前記第１加算回路により加算された信号とを加算する第２加算回路と、
を備えることを特徴とする電波受信回路。
【請求項１２】
所定周波数の信号を出力する発振回路と、
受信された電波信号を前記発振回路より出力された信号と合成して、中間周波数信号に変換する周波数変換回路と、
この周波数変換回路によって変換された中間周波数信号から基準信号を生成する基準信号生成回路と、
前記中間周波数信号と前記基準信号とを乗算する第１乗算回路と、
前記基準信号の位相を変化させて出力する位相調整回路と、
この位相調整回路より出力された信号と、前記中間周波数信号の信号とを乗算する第２乗算回路と、
この第２乗算回路により乗算された信号と、前記第１乗算回路により乗算された信号とを加算する第１加算回路と、
前記第１乗算回路により乗算された信号から、前記第２乗算回路により乗算された信号を減算する減算回路と、
この減算回路により減算された信号を微分する微分回路と、
この微分回路により微分された信号を増幅して出力する増幅回路と、
この増幅回路より出力された信号と、前記第１加算回路により加算された信号とを加算する第２加算回路と、
を備えることを特徴とする電波受信回路。
【請求項１３】
所定周波数の信号を出力する発振回路と、
受信された電波信号を前記発振回路より出力された信号と合成して、中間周波数信号に変換する周波数変換回路と、
この周波数変換回路によって変換された中間周波数信号から基準信号を生成する基準信号生成回路と、
前記中間周波数信号と前記基準信号とを乗算する第１乗算回路と、
前記基準信号を微分する微分回路と、
この微分回路により微分された信号と、前記中間周波数信号とを乗算する第２乗算回路と、
この第２乗算回路により乗算された信号の位相を変化させて出力する位相調整回路と、
この位相調整回路より出力した信号と、前記第１乗算回路により乗算された信号とを加算する加算回路と、
を備えることを特徴とする電波受信回路。
【請求項１４】
前記位相調整回路は、入力した信号の位相を９０度変化させることを特徴とする請求項１２又は１３に記載の電波受信回路。
【請求項１５】
前記第１乗算回路及び第２乗算回路は、ローパスフィルタを備え、このローパスフィルタを介して乗算した信号を出力することを特徴とする請求項９〜１４の何れか一項に記載の電波受信回路。
【手続補正３】
【補正対象書類名】明細書
【補正対象項目名】０００１
【補正方法】変更
【補正の内容】
【０００１】
【発明の属する技術分野】
本発明は電波受信装置、電波受信回路及び電波時計に関するものである。
【手続補正４】
【補正対象書類名】明細書
【補正対象項目名】０００６
【補正方法】変更
【補正の内容】
【０００６】
本発明の目的は、受信した電波のノイズ及び遅延時間を可及的に削減した電波受信装置、電波受信回路及び電波時計を提供することである。
【手続補正５】
【補正対象書類名】明細書
【補正対象項目名】００１０
【補正方法】変更
【補正の内容】
【００１０】
請求項３に記載の発明の電波受信装置は、電波信号を受信し、この受信した電波信号を電気信号に変換して出力する電波受信手段（例えば、図２のアンテナ１）と、
所定周波数の信号を出力する発振手段（例えば、図２の局部発振回路５）と、
前記電波受信手段より出力された電気信号を前記発振手段より出力された信号と合成して、中間周波数信号に変換する周波数変換手段（例えば、図２の周波数変換回路４）と、
この周波数変換手段によって変換された中間周波数信号からの基準信号を生成する基準信号生成手段（例えば、図２のキャリア抽出回路９）と、
前記中間周波数信号と前記基準信号とを乗算する第１乗算手段（例えば、図４の乗算器２０１）と、
前記中間周波数信号を微分する第１微分手段（例えば、図４の微分回路２０３）と、
この第１微分手段により微分された信号と、前記基準信号とを乗算する第２乗算手段（例えば、図４の乗算器２０４）と、
この第２乗算手段により乗算された信号と、前記第１乗算手段により乗算された信号とを加算する第１加算手段（例えば、図４の加算器２０６）と、
前記第１乗算手段により乗算された信号から、前記第２乗算手段により乗算された信号を減算する減算手段（例えば、図４の減算器２０７）と、
この減算手段により減算された信号を微分する第２微分手段（例えば、図４の微分回路２０８）と、
この第２微分手段により微分された信号を増幅して出力する増幅手段（例えば、図４の（１／Δω）ＡＭＰ器２０９）と、
この増幅手段より出力された信号と、前記第１加算手段により加算された信号とを加算する第２加算手段（例えば、図４の加算器２１０）とを備えることを特徴としている。
この請求項３に記載の発明によれば、第１乗算手段が中間周波数信号と基準信号とを乗算する。また第１微分手段によって、中間周波数信号及び基準信号の内の一方の信号が微分して出力され、この出力された信号と、中間周波数信号及び基準信号の内の他方の信号とが第２乗算手段によって乗算される。第２乗算手段によって乗算された信号は、第１加算手段によって第１乗算手段の乗算結果と加算される。また、減算手段によって第１乗算手段の乗算結果から第２乗算手段の乗算結果が減算される。この信号は第２微分手段によって微分され、更に増幅手段によって増幅される。増幅された信号は、第２加算手段によって第１加算手段の加算結果と加算される。この結果、電波受信手段の受信した電波信号に含まれるノイズ成分を可及的に除去し、受信希望周波数成分の信号を取り出すことができる。従って、電波受信装置の受信性能を向上させることができる。
【手続補正６】
【補正対象書類名】明細書
【補正対象項目名】００１１
【補正方法】変更
【補正の内容】
【００１１】
請求項４に記載の発明の電波受信装置は、電波信号を受信し、この受信した電波信号を電気信号に変換して出力する電波受信手段（例えば、図２のアンテナ１）と、
所定周波数の信号を出力する発振手段（例えば、図２の局部発振回路５）と、
前記電波受信手段より出力された電気信号を前記発振手段より出力された信号と合成して、中間周波数信号に変換する周波数変換手段（例えば、図２の周波数変換回路４）と、
この周波数変換手段によって変換された中間周波数信号から基準信号を生成する基準信号生成手段（例えば、図２のキャリア抽出回路９）と、
前記中間周波数信号と前記基準信号とを乗算する第１乗算手段（例えば、図５の乗算器２０１）と、
前記基準信号の位相を変化させて出力する位相調整手段（例えば、図５の位相シフト器３０２）と、
この位相調整手段より出力された信号と、前記中間周波数信号の信号とを乗算する第２乗算手段（例えば、図５の乗算器３０１）と、
この第２乗算手段により乗算された信号と、前記第１乗算手段により乗算された信号とを加算する第１加算手段（例えば、図５の加算器２０６）と、
前記第１乗算手段により乗算された信号から、前記第２乗算手段により乗算された信号を減算する減算手段（例えば、図５の減算器２０７）と、
この減算手段により減算された信号を微分する微分手段（例えば、図５の微分回路２０８）と、
この微分手段により微分された信号を増幅して出力する増幅手段（例えば、図５の（１／Δω）ＡＭＰ器２０９）と、
この増幅手段より出力された信号と、前記第１加算手段により加算された信号とを加算する第２加算手段（例えば、図５の加算器２１０）とを備えることを特徴としている。
この請求項４に記載の発明によれば、第１乗算手段が中間周波数信号と基準信号とを乗算する。また、第１位相調整手段によって、中間周波数信号及び基準信号の内の一方の信号の位相を変化させて出力され、この出力された信号と、中間周波数信号及び基準信号の内の他方の信号とが第２乗算手段によって乗算される。第２乗算手段によって乗算された信号は、第１加算手段によって第１乗算手段の乗算結果と加算される。また、減算手段によって第１乗算手段の乗算結果から第２乗算手段の乗算結果が減算される。この信号は微分手段によって微分され、更に増幅手段によって増幅される。増幅された信号は、第２加算手段によって第１加算手段の加算結果と加算される。この結果、電波受信手段の受信した電波信号に含まれるノイズ成分を可及的に除去し、受信希望周波数成分の信号を取り出すことができる。従って、電波受信装置の受信性能を向上させることができる。
【手続補正７】
【補正対象書類名】明細書
【補正対象項目名】００１２
【補正方法】変更
【補正の内容】
【００１２】
請求項５に記載の発明の電波受信装置は、電波信号を受信し、この受信した電波信号を電気信号に変換して出力する電波受信手段（例えば、図２のアンテナ１）と、
所定周波数の信号を出力する発振手段（例えば、図２の局部発振回路５）と、
前記電波受信手段より出力された電気信号を前記発振手段より出力された信号と合成して、中間周波数信号に変換する周波数変換手段（例えば、図２の周波数変換回路４）と、
この周波数変換手段によって変換された中間周波数信号から基準信号を生成する基準信号生成手段（例えば、図２のキャリア抽出回路９）と、
前記中間周波数信号と前記基準信号とを乗算する第１乗算手段（例えば、図６の乗算器１０１）と、
前記基準信号を微分する微分手段（例えば、図６の微分回路４０２）と、
この微分手段により微分された信号と、前記中間周波数信号とを乗算する第２乗算手段（例えば、図６の乗算器４０１）と、
この第２乗算手段により乗算された信号の位相を変化させて出力する位相調整手段（例えば、図６の位相シフト器１０６）と、
この位相調整手段より出力した信号と、前記第１乗算手段により乗算された信号とを加算する加算手段（例えば、図６の加算器１０７）とを備えることを特徴としている。
この請求項５に記載の発明によれば、第１乗算手段が中間周波数信号と基準信号とを乗算する。また、微分手段によって、中間周波数信号及び基準信号の内の一方の信号が微分して出力され、この出力された信号と、中間周波数信号及び基準信号の内の他方の信号とが第２乗算手段によって乗算される。第２乗算手段によって乗算された信号は、位相調整手段によって位相が変化された後、加算手段によって、第１乗算手段の乗算結果の信号と加算される。この結果、電波受信手段の受信した電波信号に含まれるノイズ成分を可及的に除去し、受信希望周波数成分の信号を取り出すことができる。従って、電波受信装置の受信性能を向上させることができる。
また、請求項６に記載の発明のように、請求項４又は５に記載の電波受信装置において、前記位相調整手段は、入力した信号の位相を９０度変化させることとしてもよい。
更に請求項７に記載の発明のように、請求項１〜６の何れか一項に記載の電波受信装置において、前記第１乗算手段及び第２乗算手段は、ローパスフィルタ（例えば、図３のＬＰＦ１０２及び１０５、図４のＬＰＦ２０２及び２０５、図５のＬＰＦ３０３、図６のＬＰＦ４０３）を備え、このローパスフィルタを介して乗算した信号を出力することとしてもよい。
【手続補正８】
【補正対象書類名】明細書
【補正対象項目名】００１３
【補正方法】変更
【補正の内容】
【００１３】
請求項８に記載の発明の電波時計は、請求項１〜７の何れか一項に記載の電波受信装置（例えば、図１、２の電波受信装置９１７）と、
この電波受信装置の受信手段から出力された電気信号に含まれる標準電波信号に基づいて時刻機能に必要なデータを含む標準タイムコードを生成するタイムコード変換手段（例えば、図１のタイムコード変換部９１０）と、
現在時刻を計数する時刻計数手段（例えば、図１の計時回路部９０８）と、
前記タイムコード変換手段によって生成された標準タイムコードに基づいて前記時刻計数手段で計数される現在時刻データを修正する修正手段（例えば、図１のＣＰＵ９０１）とを備えることを特徴としている。
この請求項８に記載の発明によれば、電波時計が受信した長波標準電波のノイズを電波受信装置によって除去することができるため、ノイズによる電波時計の誤動作を防ぐことができる。従って、電波時計の信頼性を向上させることができる。
【手続補正９】
【補正対象書類名】明細書
【補正対象項目名】００１４
【補正方法】変更
【補正の内容】
【００１４】
請求項９に記載の発明の電波受信回路は、
所定周波数の信号を出力する発振回路（例えば、図２の局部発振回路５）と、
受信された電波信号を前記発振回路より出力された信号と合成して、中間周波数信号に変換する周波数変換回路（例えば、図２の周波数変換回路４）と、
この周波数変換回路によって変換された中間周波数信号から基準信号を生成する基準信号生成回路（例えば、図２のキャリア抽出回路９）と、
前記中間周波数信号と前記基準信号とを乗算する第１乗算回路（例えば、図３の乗算器１０１）と、
前記中間周波数信号の位相を変化させて出力する第１位相調整回路（例えば、図３の位相シフト器１０３）と、
この第１位相調整回路より出力された信号と、前記基準信号とを乗算する第２乗算回路（例えば、図３の乗算器１０４）と、
この第２乗算回路により乗算された信号の位相を変化させて出力する第２位相調整回路（例えば、図３の位相シフト器１０６）と、
この第２位相調整回路より出力された信号と、前記第１乗算回路により乗算された信号とを加算する加算回路（例えば、図３の加算器１０７）とを備えることを特徴としている。
【手続補正１０】
【補正対象書類名】明細書
【補正対象項目名】００１５
【補正方法】変更
【補正の内容】
【００１５】
請求項１０に記載の発明は、請求項９に記載の電波受信装置であって、前記第１位相調整回路及び前記第２位相調整回路は、入力した信号の位相を９０度変化させて出力することを特徴としている。
この請求項９及び１０に記載の発明によれば、第１乗算回路が中間周波数信号と基準信号とを乗算する。また、第１位相調整回路によって、中間周波数信号及び基準信号の内の一方の信号の位相を変化させて出力され、この出力された信号と、中間周波数信号及び基準信号の内の他方の信号とが第２乗算回路によって乗算される。第２乗算回路によって乗算された信号は、第２位相調整回路によって位相が変化された後、加算回路によって、第１乗算回路の乗算結果の信号と加算される。この結果、受信した電波信号に含まれるノイズ成分を可及的に除去し、受信希望周波数成分の信号を取り出すことができる。従って、電波受信回路の受信性能を向上させることができる。
【手続補正１１】
【補正対象書類名】明細書
【補正対象項目名】００１６
【補正方法】変更
【補正の内容】
【００１６】
請求項１１に記載の発明の電波受信回路は、
所定周波数の信号を出力する発振回路（例えば、図２の局部発振回路５）と、
受信された電波信号を前記発振回路より出力された信号と合成して、中間周波数信号に変換する周波数変換回路（例えば、図２の周波数変換回路４）と、
この周波数変換回路によって変換された中間周波数信号からの基準信号を生成する基準信号生成回路（例えば、図２のキャリア抽出回路９）と、
前記中間周波数信号と前記基準信号とを乗算する第１乗算回路（例えば、図４の乗算器２０１）と、
前記中間周波数信号を微分する第１微分回路（例えば、図４の微分回路２０３）と、
この第１微分回路により微分された信号と、前記基準信号とを乗算する第２乗算回路（例えば、図４の乗算器２０４）と、
この第２乗算回路により乗算された信号と、前記第１乗算回路により乗算された信号とを加算する第１加算回路（例えば、図４の加算器２０６）と、
前記第１乗算回路により乗算された信号から、前記第２乗算回路により乗算された信号を減算する減算回路（例えば、図４の減算器２０７）と、
この減算回路により減算された信号を微分する第２微分回路（例えば、図４の微分回路２０８）と、
この第２微分回路により微分された信号を増幅して出力する増幅回路（例えば、図４の（１／Δω）ＡＭＰ器２０９）と、
この増幅回路より出力された信号と、前記第１加算回路により加算された信号とを加算する第２加算回路（例えば、図４の加算器２１０）とを備えることを特徴としている。
この請求項１１に記載の発明によれば、第１乗算回路が中間周波数信号と基準信号とを乗算する。また第１微分回路によって、中間周波数信号及び基準信号の内の一方の信号が微分して出力され、この出力された信号と、中間周波数信号及び基準信号の内の他方の信号とが第２乗算回路によって乗算される。第２乗算回路によって乗算された信号は、第１加算回路によって第１乗算回路の乗算結果と加算される。また、減算回路によって第１乗算回路の乗算結果から第２乗算回路の乗算結果が減算される。この信号は第２微分回路によって微分され、更に増幅回路によって増幅される。増幅された信号は、第２加算回路によって第１加算回路の加算結果と加算される。この結果、受信した電波信号に含まれるノイズ成分を可及的に除去し、受信希望周波数成分の信号を取り出すことができる。従って、電波受信回路の受信性能を向上させることができる。
【手続補正１２】
【補正対象書類名】明細書
【補正対象項目名】００１７
【補正方法】変更
【補正の内容】
【００１７】
請求項１２に記載の発明の電波受信回路は、
所定周波数の信号を出力する発振回路（例えば、図２の局部発振回路５）と、
受信された電波信号を前記発振回路より出力された信号と合成して、中間周波数信号に変換する周波数変換回路（例えば、図２の周波数変換回路４）と、
この周波数変換回路によって変換された中間周波数信号から基準信号を生成する基準信号生成回路（例えば、図２のキャリア抽出回路９）と、
前記中間周波数信号と前記基準信号とを乗算する第１乗算回路（例えば、図５の乗算器２０１）と、
前記基準信号の位相を変化させて出力する位相調整回路（例えば、図５の位相シフト器３０２）と、
この位相調整回路より出力された信号と、前記中間周波数信号の信号とを乗算する第２乗算回路（例えば、図５の乗算器３０１）と、
この第２乗算回路により乗算された信号と、前記第１乗算回路により乗算された信号とを加算する第１加算回路（例えば、図５の加算器２０６）と、
前記第１乗算回路により乗算された信号から、前記第２乗算回路により乗算された信号を減算する減算回路（例えば、図５の減算器２０７）と、
この減算回路により減算された信号を微分する微分回路（例えば、図５の微分回路２０８）と、
この微分回路により微分された信号を増幅して出力する増幅回路（例えば、図５の（１／Δω）ＡＭＰ器２０９）と、
この増幅回路より出力された信号と、前記第１加算回路により加算された信号とを加算する第２加算回路（例えば、図５の加算器２１０）とを備えることを特徴としている。
この請求項１２に記載の発明によれば、第１乗算回路が中間周波数信号と基準信号とを乗算する。また、第１位相調整回路によって、中間周波数信号及び基準信号の内の一方の信号の位相を変化させて出力され、この出力された信号と、中間周波数信号及び基準信号の内の他方の信号とが第２乗算回路によって乗算される。第２乗算回路によって乗算された信号は、第１加算回路によって第１乗算回路の乗算結果と加算される。また、減算回路によって第１乗算回路の乗算結果から第２乗算回路の乗算結果が減算される。この信号は微分回路によって微分され、更に増幅回路によって増幅される。増幅された信号は、第２加算回路によって第１加算回路の加算結果と加算される。この結果、受信した電波信号に含まれるノイズ成分を可及的に除去し、受信希望周波数成分の信号を取り出すことができる。従って、電波受信回路の受信性能を向上させることができる。
【手続補正１３】
【補正対象書類名】明細書
【補正対象項目名】００１８
【補正方法】変更
【補正の内容】
【００１８】
請求項１３に記載の発明の電波受信回路は、
所定周波数の信号を出力する発振回路（例えば、図２の局部発振回路５）と、
受信された電波信号を前記発振回路より出力された信号と合成して、中間周波数信号に変換する周波数変換回路（例えば、図２の周波数変換回路４）と、
この周波数変換回路によって変換された中間周波数信号から基準信号を生成する基準信号生成回路（例えば、図２のキャリア抽出回路９）と、
前記中間周波数信号と前記基準信号とを乗算する第１乗算回路（例えば、図６の乗算器１０１）と、
前記基準信号を微分する微分回路（例えば、図６の微分回路４０２）と、
この微分回路により微分された信号と、前記中間周波数信号とを乗算する第２乗算回路（例えば、図６の乗算器４０１）と、
この第２乗算回路により乗算された信号の位相を変化させて出力する位相調整回路（例えば、図６の位相シフト器１０６）と、
この位相調整回路より出力した信号と、前記第１乗算回路により乗算された信号とを加算する加算回路（例えば、図６の加算器１０７）とを備えることを特徴としている。
この請求項１３に記載の発明によれば、第１乗算回路が中間周波数信号と基準信号とを乗算する。また、微分回路によって、中間周波数信号及び基準信号の内の一方の信号が微分して出力され、この出力された信号と、中間周波数信号及び基準信号の内の他方の信号とが第２乗算回路によって乗算される。第２乗算回路によって乗算された信号は、位相調整回路によって位相が変化された後、加算回路によって、第１乗算回路の乗算結果の信号と加算される。この結果、受信した電波信号に含まれるノイズ成分を可及的に除去し、受信希望周波数成分の信号を取り出すことができる。従って、電波受信回路の受信性能を向上させることができる。
また、請求項１４に記載の発明のように、請求項１２又は１３に記載の電波受信回路において、前記位相調整回路は、入力した信号の位相を９０度変化させることとしてもよい。
更に請求項１５に記載の発明のように、請求項９〜１４の何れか一項に記載の電波受信回路において、前記第１乗算回路及び第２乗算回路は、ローパスフィルタ（例えば、図３のＬＰＦ１０２及び１０５、図４のＬＰＦ２０２及び２０５、図５のＬＰＦ３０３、図６のＬＰＦ４０３）を備え、このローパスフィルタを介して乗算した信号を出力することとしてもよい。
【手続補正１４】
【補正対象書類名】明細書
【補正対象項目名】００１９
【補正方法】削除
【補正の内容】
【手続補正１５】
【補正対象書類名】明細書
【補正対象項目名】００６７
【補正方法】変更
【補正の内容】
【００６７】
【発明の効果】
請求項１〜７に記載の発明によれば、電波受信手段の受信した電波信号に含まれるノイズ成分を可及的に除去し、受信希望周波数成分の信号を取り出すことができる。従って、電波受信装置の受信性能を向上させることができる。
また、請求項８に記載の発明によれば、電波時計が受信した長波標準電波のノイズを電波受信装置によって除去することができるため、ノイズによる電波時計の誤動作を防ぐことができる。従って、電波時計の信頼性を向上させることができる。
【手続補正１６】
【補正対象書類名】明細書
【補正対象項目名】００６８
【補正方法】変更
【補正の内容】
【００６８】
請求項９〜１５に記載の発明によれば、受信した電波信号に含まれるノイズ成分を可及的に除去し、受信希望周波数成分の信号を取り出すことができる。従って、電波受信回路の受信性能を向上させることができる。
【手続補正１７】
【補正対象書類名】図面
【補正対象項目名】図３
【補正方法】変更
【補正の内容】
【図３】
2004140510.tif 000001
【手続補正１８】
【補正対象書類名】図面
【補正対象項目名】図４
【補正方法】変更
【補正の内容】
【図４】
2004140510.tif 000002
【手続補正１９】
【補正対象書類名】図面
【補正対象項目名】図５
【補正方法】変更
【補正の内容】
【図５】
2004140510.tif 000003
【手続補正２０】
【補正対象書類名】図面
【補正対象項目名】図６
【補正方法】変更
【補正の内容】
【図６】
2004140510.tif 000004